Podtech/llm-jp-corpus-v4-ja_patent huggingface dataset:
(57)【要約】【課題】  路上駐車等違法駐車車両を取締る監視員の業務に対し客観性のある実績報告と監視員の安全確保に関したビジネスモデルに関する。【解決手段】  位置測位移動体端末と基地局、データ蓄積装置、地図情報を使用し監視員に位置測位移動体端末を携行させ、業務状態と位置測位データを蓄積し蓄積データを元に客観データを作成したり監視員の状態データから緊急活動を行なえるシステムのビジネスモデル。【特許請求の範囲】
【請求項１】
路上駐車等違法駐車車両等を取締る監視員に位置測位移動体端末を携行させ、基地局側では監視員の業務状態を逐次収集し業務日報等の客観的資料を作成するシステム。
【請求項２】
監視員の移動体端末データから位置測位データと業務状態を把握し、緊急時の対応において、即時支援・応援体制を整えることができるシステム。
【請求項３】
地図データと過去の巡回状態蓄積データ，日付時刻及び天候などから巡回業務予測を行い効率的な順路指示ができるシステム。
【発明の詳細な説明】
【技術分野】
【０００１】  本発明は現在路上駐車等違法駐車車両を取締る監視員制度が導入され、その監視員の日夜の業務を円滑に進めることと、作業日報等の報告書を客観的に作成することを可能とし、監視員の被疑者等とのトラブル等による安全確保等を目的としたビジネスモデルに関する。
【背景技術】
【０００２】  従来違法駐車取締り監視員は管内担当地域を巡回して違法駐車車両の取締り業務を行なうが、業務巡回後の報告は違反切符と監視員本人の記憶での報告となり、業務自体が広報・警告活動も含まれているため活動実務に定量データとして得られにくい業務であり、且つ監視員の記憶のみの報告であるため、客観性に欠ける側面を持っていた。
【発明の開示】
【発明が解決しようとする課題】
【０００３】  本発明は、監視員に位置情報取得移動体通信端末を携行させて業務を行なわせる。予めこれらの端末情報を受信できる基地局を準備し、時間経過と共に位置測位情報を地図上に記録すれば監視員の巡回経路が明確になり客観的な業務となる。【０００４】  この端末に監視員の現在の業務状態を知らせるボタンを設置することによって、監視員が現在どういう状態かを把握でき、監視員の安全確保と報告書を作成するといった手間を取除くことができる。
【課題を解決するための手段】
【０００５】  監視員に携行させる移動体端末は位置を測位できる機能を有し測位情報を基地局に通信できる機能を有する。【０００６】  同時に移動体端末は現在の状態を基地局に通知できるように状態選択ボタンを有し、「巡回」「取締」「緊急」などの状態を通知できるようにする。【０００７】  基地局はこの移動体を全て観測できる状態にしておき、地図データ上に移動体端末位置測位情報を地図上に展開できるようにしておく。【０００８】  同時にこの端末情報の業務状態と時間情報とを識別できるように表示しておけば業務状態を即時に把握できるようになる。【０００９】  監視員からの緊急発報がなされれば、即時基地局は緊急状態を表示し移動体端末からの位置測位情報、端末種別から正確な位置を把握し、どの監視員が緊急状態なのかを判別して基地局から別の監視員への協力派遣や管轄警察への連絡が即時に行なわれる。【００１０】  通常の業務の場合は基地局または事務所へ帰還後、監視員が移動体端末から収集したこれらの集計結果と違反切符等とを合わせて提出すれば日々の客観的な業務報告書が作成できることとなる。【００１１】  以上、上述した一連の仕組みをシステム化したビジネスモデル。
【発明の効果】
【００１２】  報告を受ける側はシステムからの客観データ集であるため、虚偽がなく正確な業務報告書であるため信頼度がある業務把握ができる。【００１３】  一方巡回をする監視員は安全確保ができ、報告書作成等の煩雑業務が消減でき主たる業務である巡回監視業務に重きにおける。【００１４】  基地局側の管理監督する側では監視員の配置や位置が正確に把握でき、緊急時の応援、支援業務に即時に対応でき短時間の応援支援に効果がる。【００１５】  これらのデータを集積し統計を取れば、以後の業務に対して予測可能な監視活動ができ、最適な人員配置などができる。
(57)【要約】      （修正有）【課題】イベント会場で、その日のイベントのデータを当日その場で来場者全員に配布でき、当日の情報、アップデートされたデータや情報および動画配信・音楽配信を得ることができるようにする。【解決手段】記録媒体複製機器を使用して、イベント会場での当日のデータを会場で供給・配布する。さらに記録媒体複製機器にＵＳＢインタフェースを設け、コンピュータに差し込むことにより、自動的にデータを保有する動画配信・音楽配信サイトにアクセスする。【選択図】図１
2009026274.tif 000002
【特許請求の範囲】
【請求項１】
書き込み可能なメモリーチップを使用した、ＭＭＣカード、ＳＤカード、コンパクトフラッシュ、メモリースティック、スマートメディアなどや、ＵＳＢメモリー、ＣＤ、ＤＶＤ、ＶＴＲなどの記録媒体（以下、総称して『記録媒体』と呼ぶ）を用いて、コンサート、イベント、結婚式、学会、同窓会、研究発表会など大勢の人が集る催物や工事、スポーツ、製品テスト、社員教育など（以下、『イベント』と呼ぶ）で、そのイベントの様子を収録した音声データ、画像データ、音楽データ（以下、『データ』と呼ぶ）を、それが終わると同時に、イベント会場にいる人たちが当日持ち帰ることが出来る供給システム。（この記録媒体に録画・録音する装置を『記録媒体複製機器』と呼ぶ）
また、音楽データの配布の場合には、その場で配布された音楽データをすぐにその場で聴くことができるように、ＵＳＢオーディオプレーヤー（以下、『ＵＳＢ機器』と呼ぶ）も付属して配布することもある。その場合、このＵＳＢ機器をコンピュータへ接続すると、自動的に主催者またはこのデータの権利を保有する者または会社のウェブサイトへアクセスし、このイベントやそれに関する動画配信・音楽配信を受けられるＵＳＢ機器。
【発明の詳細な説明】
【技術分野】
【０００１】  この発明は、データを短時間で大量に録画・録音できる記録媒体複製機器を使用し、イベント会場で当日のデータを当日会場で供給・配布できる。
また、このＵＳＢ機器をコンピュータのＵＳＢコネクターへ接続するだけで、自動的に主催者またはこのデータの権利を保有する者または会社の動画配信・音楽配信サイトにアクセスし、動画配信・音楽配信を受ける事が出来る。
【背景技術】
【０００２】  従来、イベントのデータは、ごく限られた少数の人しか、当日その場で受け渡すことができず、一般的には、後日、主催者よりＣＤ、ＤＶＤ、ＶＴＲなどの媒体で送付されるものであった。又は自ら主催者の動画配信・音楽配信サイトを検索サイトより検索し、もしくは既に知っている動画配信サイト・音楽配信サイトのウェブアドレスを入力して、その動画配信・音楽配信サイトへ辿りつき、そこから視聴しなければならなかった。
【発明の開示】
【発明が解決しようとする課題】
【０００３】しかしながら、以上の技術によれば、データを短時間で大量に録画・録音することが困難であった。また後日送付するため、送付する手間や費用がかかり、イベント参加者のすぐにその場でそのデータを欲しい、という要望に答えることができなかった。そこでこの発明は、短時間で大量に録画・録音することが出来る記録媒体複製機器を利用して、当日会場でその日に行われたイベントのデータを配布するシステムである。またこの際に配布したＵＳＢ機器をコンピュータへ接続する事によって、自動的に主催者またはこのデータの権利を保有する者または会社のサイトへアクセスし、当日の情報、データ、アップデートされた情報や動画配信・音楽配信を得る事が出来る。
【課題を解決するための手段】
【０００４】  以上の課題を解決するために、記録媒体複製機器はＵＳＢインターフェイスを備え、当日のイベントを録画・録音したデータを接続すると、大量のデータを既に用意された記録媒体に瞬時に書き込む能力を持つことで、このシステムが可能になった。【０００５】またＵＳＢ機器を使用することによって、コンピュータを介して、自動的に主催者またはこのデータの権利を保有する者または会社の動画配信・音楽配信サイトにアクセスし、動画配信・音楽配信を受ける事が可能になった。
【発明の効果】
【０００６】  本発明によれば、従来はたとえ少数の動画データ・音楽データまたは音声データでも雑多の時間を踏まなければ配布することが出来なかったが、記録媒体複製機器を使用することにより、簡単な作業で動画や音楽を短時間で録画・録音し、配布することが可能となる。また、動画配信・音楽配信サイトを検索などの手間をかけず、自動的に辿り着くことができるようになる。
【発明を実施するための最良の形態】
【０００７】この発明の実施形態を、図１に示す。
【図面の簡単な説明】
【０００８】
【図１】この発明の実施形態を示す図である。
【符号の説明】
【０００９】      １  記録媒体
２  ＵＳＢ機器
３  ＵＳＢインターフェイスを備えたコンピュータ
４  インターネット
５  サーバー
【図１】
2009026274.tif 000003
(57)【要約】【課題】コンピュータにて動画や音楽を視聴するためには、その動画配信・音楽配信サイトまで自分で辿りつかなければ視聴することが出来なかった。【解決手段】抜き差し式ＵＳＢ小型デバイスを使用することで、それを挿入することで、ＵＳＢインターフェイスを備えたコンピュータがあれば、場所を問わず動画や音楽の視聴を可能にした。【選択図】図１
2009026273.tif 000002
【特許請求の範囲】
【請求項１】
抜き差し式ＵＳＢ小型デバイスを使って、コンピュータにそれを差すことにより、自動的に動画配信・音楽配信サイトへ飛び、画面が現れ、そこから動画を配信する方法及びその抜き差し式ＵＳＢ小型デバイス。
【発明の詳細な説明】
【技術分野】
【０００１】  この発明は、抜き差し式ＵＳＢ小型デバイスを使って、動画配信・音楽配信サイトにアクセスし、動画配信・音楽配信を行うことに関する。
【背景技術】
【０００２】  従来、インターネットでの動画や音楽の視聴者は、自ら検索サイトより動画配信・音楽配信サイトを検索し、もしくは既に知っている動画配信サイトのウェブアドレスを入力して、その動画配信・音楽配信サイトへ辿りつかなければならなかった。また、パソコンを共有して使用している場合は、他者に自分がどのサイトを訪れたか、どんな動画や音楽を視聴したのかが、コンピュータ上から知られてしまう可能性もあった。
【発明の開示】
【発明が解決しようとする課題】
【０００３】しかしながら、以上の技術によれば、検索サイトの利用方法が分からない、またはパソコンの操作が不得意な視聴を希望する者には、動画配信・音楽配信サイトへ辿り着く手段がなかった。もしくは辿り着くのに時間や手間が掛った。またコンピュータを共有する場合は他者に視聴した内容を知られる可能性もあった。そこで、この発明は、抜き差し式ＵＳＢデバイスをコンピュータのＬＳＢポートに差すだけで、動画や音楽を配信するサイトに自動的に飛び、そこから自分で選んで簡易に動画や音楽を受信することができることを課題とする。またこの抜き差し式ＵＳＢデバイスをコンピュータから抜けば、コンピュータにはその動画配信・音楽配信サイトでの経歴は一切残らないことを課題とする。
【課題を解決するための手段】
【０００４】  以上の課題を解決するために、抜き差し式ＵＳＢ小型デバイスは、ＵＳＢインターフェイスを備えたコンピュータに接続されると、当該ＵＳＢデバイスを認識し、あらかじめ内蔵されたプログラムを自動起動し、動画配信・音楽配信の情報を備えたサイトに接続することで、動画配信・音楽配信サイトの閲覧、動画や音楽の受信を可能にすることを特徴とする。【０００５】  また、ＵＳＢインターフェイスを備えたコンピュータがあれば、国内、海外を問わず、どこでもこの当該ＵＳＢデバイスがあれば、その動画配信・音楽配信サイトを視聴、受信することができることを特徴とする。
【発明の効果】
【０００６】  本発明によれば、従来雑多の手順を踏まなければ動画配信・音楽配信サイトに辿り着かなかったが、簡単な作業（抜き差し式ＵＳＢデバイスを差し込む）だけで動画や音楽を楽しむことが可能となる。また他者にその内容を知られる可能性もなくなる。
【発明を実施するための最良の形態】
【０００７】この発明の実施形態を、図１に示す。
【図面の簡単な説明】
【０００８】
【図１】この発明の実施形態を示す図である。
【符号の説明】
【０００９】      １  抜き差し式ＵＳＢ小型デバイス
２  ＵＳＢインターフェイスを備えたコンピュータ
３  インターネット
４  サーバー
【図１】
2009026273.tif 000003
(57)【要約】      （修正有）【課題】Ｆｌａｓｈコンテンツで表示する文字は携帯電話内部のフォントデータに依存しないので、現在流通している携帯電話でも外国語を表示することができる。【解決手段】コンテンツ生成サーバに作成したいコンテンツを構成している文字コード情報を入力し、変換サーバがフォントデータを含んだ文字情報に変換することにより、目的の言語のフォントデータを含んだ携帯電話向けＦｌａｓｈコンテンツを動的に作成する。【選択図】図１
2009026281.tif 000002
【特許請求の範囲】
【請求項１】
モバイルコンテンツ向けのＦｌａｓｈ規格に沿ったコンテンツを生成する際に、コンテンツ生成サーバに対して、作成したいコンテンツを構成している文字コード情報を入力し、その情報を受け、変換サーバでフォントデータを含んだ文字情報に変換することによって、携帯電話で表示することができない言語を表示できるようにしたＦｌａｓｈコンテンツを動的に作成するためのシステム。
【発明の詳細な説明】
【技術分野】
【０００１】  この発明は、携帯電話上で情報を提供するためのＦｌａｓｈコンテンツを動的に作成するシステムに関する。
【背景技術】
【０００２】  従来、携帯電話向けＦｌａｓｈコンテンツを動的に生成する場合には、生成したＦｌａｓｈコンテンツ内部に文字コード情報を持ち、実際に携帯電話上に表示する時に、携帯電話内部のフォントデータを利用して表示していた。
【発明の開示】
【発明が解決しようとする課題】
【０００３】しかしながら、以上の技術によれば、携帯電話向けＦｌａｓｈコンテンツは、通信サービスを提供している国の言語しか表示することができない。そこで、この発明は、海外のフォントデータを含んだ携帯電話向けＦｌａｓｈコンテンツを動的に作成するシステムを提供することを課題とする。
【課題を解決するための手段】
【０００４】  以上の課題を解決するために、第一発明は、文字コード情報を入力することにより、外国語のフォントデータを内部に含んだ携帯電話向けＦｌａｓｈの規格に沿ったコンテンツを独自サーバで動的に作成することを特徴とするシステムである。
【発明の効果】
【０００５】  第一発明によれば、Ｆｌａｓｈコンテンツで表示する文字は携帯電話内部のフォントデータに依存しないので、現在流通している携帯電話でも外国語を表示することができる。
【発明を実施するための最良の形態】
【０００６】  この発明の一実施形態を、図１に示す。
入力する各種情報は、生成したいＦｌａｓｈコンテンツを構成する文字コードや画像などの情報であり、この情報をコンテンツ生成サーバに入力することにより、目的の言語のフォントデータを含んだ携帯電話向けＦｌａｓｈコンテンツを動的に生成することができる。この時、生成サーバは、変換を行う文字コード情報を文字変換システムに渡す。文字変換システムは、あらかじめ用意された複数のフォントデータの中から指定されたフォントデータを用いて文字コード情報からフォントデータを含んだ文字情報に変換する。生成サーバは、このフォントデータを含んだ文字情報を利用して携帯電話向けＦｌａｓｈコンテンツを生成する。【０００７】「実施形態の効果」
この実施形態によれば、国内在住の外国人向けにＦｌａｓｈコンテンツを提供することが可能になるので、災害などの緊急時に、多くの人へ緊急情報を提供することが可能になる。また、外国で流通している携帯電話に対しても、情報を提供することが可能になる。【０００８】「他の実施形態」
図１の実施形態では、あらかじめ用意されたフォントデータを用いて変換していたが、他の実施形態では、図２に示す通り、利用するフォントデータを別途用意し、フォントデータ自体も入力するようにしても良い。
【図面の簡単な説明】
【０００９】
【図１】この発明の一実施形態を示すシステム構成図である。
【図２】この発明の他の実施形態を示すシステム構成図である。
【図１】
2009026281.tif 000003
【図２】
2009026281.tif 000004
(57)【要約】【課題】    従来の飲食店舗の販売促進は、販売促進効果で顧客が来店したとしても適正な空席状況の時に来店するとは限らず、販売促進効果で来客する来客数がコントロールできないという問題があった。【解決手段】      販売促進の効果を発生させる段階で、顧客に店舗にとって適正な希望日時及び希望人数を選択させる販売促進システムを構成した。これにより飲食店舗は席数に応じ日時及び人数を制御して販売促進を行い、効果的に販売促進を行うことができる。【選択図】図１
2009026284.tif 000002
【特許請求の範囲】
【請求項１】
飲食店舗の販売促進情報に希望日時及び希望人数の情報を付与した物をデータベースに蓄積し、インターネットを通じて公開し、顧客が希望日時及び希望人数の中から日時及び人数を選んで来店することで、販売促進の効果による店舗の来客数を最適化する販売促進システム。
【発明の詳細な説明】
【技術分野】
【０００１】      本発明は、販売促進の効果による来店者数を最適化する販売促進システムに関する。
【背景技術】
【０００２】      従来の飲食店舗の販売促進は印刷物の広告媒体により情報発信するもの（例えば、非特許文献１参照）、又はインターネットで情報発信を行い情報発信するものがある。（例えば、非特許文献２参照）。
【非特許文献１】  「ホットペッパー、株式会社リクルート」
【非特許文献２】  「ぐるなび、株式会社ぐるなび」
【０００３】      従来の飲食店の販売促進について説明する。飲食店の飲食店は一般的に週末の販売額が大きく、通常販売促進の効果も平日及び週末の販売額の比率に比例する。すなわち、平日の空席率の大きいときに販売促進の効果は出にくい。週末の空席率の低いときに販売促進の効果が出やすい半面、満席時は販売促進の効果が制限される。
【発明の開示】
【発明が解決しようとする課題】
【０００４】      以上に述べた従来の販売促進システムでは、曜日及び時間及び席数の制約から集客できる時間帯が集中し、席数に応じた来客数を適正に配置することは難しかった。【０００５】      本発明は、このような従来の販売促進システムが有していた問題を解決しようとするものであり、顧客を空席のある時間に適正に集客し、飲食店舗の販売促進効果の最適化を実現することを目的とする物である。
【課題を解決するための手段】
【０００６】      そして、本発明は上記目的を達成するために。インターネットを通じて申し込みできる店舗の販売促進情報データベース及び連動するソフトウェアを用意し、飲食店舗の販売促進情報に付随して店舗にとり最適な希望付日時及び希望人数に関する情報を登録し、インターネット上に公開し、これを顧客が日時及び人数を選択して応募できるようにしたものである。
【発明の効果】
【０００７】      上記の解決手段による作用は次の通りである。すなわち、顧客が店舗の希望する販売促進情報を選択することで、店舗は販売促進の効果により来店する顧客が来店する日時及び人数を制御し、店舗に十分な空席のある日時に誘導することができる。【０００８】      上述したように本発明の販売促進方法は、販売促進の効果で来客する顧客の来客数を制御し効果的な販売促進を行うことができる。
【発明を実施するための最良の形態】
【０００９】      以下、本発明の実地の形態を図１〜図２に基づいて説明する。【００１０】      図においては、■でまず店舗が適正と思われる来客希望日時及び人数の情報を付与した販売促進情報を販売促進サービスのデータベースに登録し、■で販売促進情報を適した形で販売促進サービスが販売促進情報をインターネットに公開する。【００１１】      ■で販売促進情報の効果があった顧客が■の様に必要事項を選択してインターネットを通じて販売促進情報の応募を行う。【００１２】      ■及び■ではデータベースに集積された販売促進情報に対する顧客の応募情報を飲食店舗並びに顧客に確認連絡をする。【００１３】      ■では顧客は応募して■で確認された日時及び人数で店舗に来店する。
【図面の簡単な説明】
【００１４】
【図１】本発明の実施形態を示す販売促進システムの全体図
【図２】インターネットに公開され、応募できる実際の画面例
【図１】
2009026284.tif 000003
【図２】
2009026284.tif 000004
(57)【要約】【課題】従来の旅行は、時間をかけて現地まで行かなければならなかった。しかし、これだと人間の一生の中の限られた時間では、世界中での多くの旅行をするのには限界があった。又、旅行運賃や宿泊費等がかかった。時間と空間を超越したバーチャル（仮想）旅行が無かった。【解決手段】世界の観光地等の現実の映像を元にして、それから３ＤＣＧ（３次元コンピュータグラフィックス）技術により、現実そっくりに再現されたバーチャル（仮想）映像を、家庭に居ながらにして鑑賞できるようにした、バーチャル（仮想）旅行を実現する手段を提供する。【特許請求の範囲】
【請求項１】
世界の観光地、世界遺産、日本の観光地、神社仏閣、各地の城・公園等へのバーチャル（仮想）旅行。
【発明の詳細な説明】
【技術分野】
【０００１】本発明は、世界の観光地等を家庭に居ながらにして、時間と空間を超越して、バーチャル（仮想）に旅行できる方法に関する。
【背景技術】
【０００２】３ＤＣＧ（３次元コンピュータグラフィックス）技術が進歩した。
ブロードバンドの普及により、インターネットでの映像・音声のスムーズな送受信が可能となった。
【発明の開示】
【発明が解決しようとする課題】
【０００３】従来の旅行は、時間をかけて現地まで行かなければならなかった。
しかし、これだと人間の一生の中の限られた時間では、世界中での多くの旅行をするのには限界があった。
又、旅行運賃や宿泊費等がかかった。【０００４】本発明はこうした課題に鑑みてなされたものであり、その目的は、世界の観光地等を家庭に居ながらにして、時間と空間を超越して、バーチャル（仮想）に旅行することを実現することである。
【課題を解決するための手段】
【０００５】上記課題を解決するために、本発明は、世界の観光地等の現実の映像を元にして、それから３ＤＣＧ（３次元コンピュータグラフィックス）技術により、現実そっくりに再現されたバーチャル（仮想）映像を、家庭に居ながらにして鑑賞できるようにした、バーチャル（仮想）旅行を実現する手段を提供するものである。【０００６】従来の旅行は、時間をかけて現地まで行かなければならなかった。
又、旅行運賃や宿泊費等がかかった。
本発明は、世界の観光地等を家庭に居ながらにして、時間と空間を超越して、バーチャル（仮想）に旅行できる方法を実現する。
世界の観光地への旅行を、安価に手軽に自由に、世界中のどこへでも時間と空間を超越して旅行することができる。
世界の観光地等の現実の映像を元にして、それから３ＤＣＧ（３次元コンピュータグラフィックス）技術により、現実そっくりにバーチャル（仮想）映像を作成する。
３ＤＣＧ（３次元コンピュータグラフィックス）技術の特長により、バーチャル（仮想）映像の景色を、いろんな角度から見たり、近付いたり遠ざかったりして、自由な角度から、自由に拡大／縮小して見ることができる。
又、世界の観光地の説明を音声で流すことも可能である。
バーチャル（仮想）映像を送信するシステムとして、データ・センター、サーバ・システム、電力会社の電力供給のように情報を蓄積し情報を供給するコンピュータ・システム等が考えられる。
バーチャル（仮想）映像を見る装置としては、パソコン、テレビ、携帯電話、ＰＤＡ（ＰＥＲＳＯＮＡＬ  ＤＡＴＡ  ＡＳＳＩＳＴＡＮＴ）、ゲーム機、携帯情報端末等が考えられる。
又、バーチャル（仮想）映像はインターネット経由、もしくは有線（光ネットワーク含む）、無線（無線ネットワーク含む）で送受信することができる。
又、バーチャル（仮想）映像は、ＤＶＤ（ＤＩＧＩＴＡＬ  ＶＩＤＥＯ  ＤＩＳＫ）等の簡易型携帯記憶装置で提供することもできる。
同様に、現実の映像を、インターネット経由もしくはＤＶＤ（ＤＩＧＩＴＡＬ  ＶＩＤＥＯ  ＤＩＳＫ）等の簡易型携帯記憶装置で、鑑賞することも可能である。
同様に、現実の映像とバーチャル（仮想）映像をミックスしたものを、インターネット経由もしくはＤＶＤ（ＤＩＧＩＴＡＬ  ＶＩＤＥＯ  ＤＩＳＫ）等の簡易型携帯記憶装置で、鑑賞することも可能である。
(57)【要約】【課題】従来、天井の照明器具は固定されている為に蛍光灯の取り換え、掃除が高い位置にあるのでやりづらかった。【解決手段】照明器具の上部のア−ム格納ケ−ス（１）と本体（２）をア−ム（４）で連結する。本体（２）を下に引くとア−ム（４）が伸びて降り、本体（２）を９０度回転する事で前を向いた状態で蛍光灯の取り換え、掃除を容易にする。【選択図】図３
2009026725.tif 000002
【特許請求の範囲】
【発明の詳細な説明】
【技術分野】
【０００１】この発明は、天井に取り付けられた照明器具の蛍光灯の取り換え、掃除に関するものである。
【背景技術】
【０００２】従来、天井に取り付けられた照明器具の蛍光灯の取り換え、掃除の際に踏み台に乗り上を向き、両手を揚げ不安定な状態にある。足を踏み外し、落下、大ケガの可能性がありました。
【発明者が解決しようとする課題】
【０００３】蛍光灯の取り換え、掃除の際に踏み台を使用せず、上にも向かずに前を向いた状態で取り換え、掃除を目的とするものである。
【課題を解決する為の手段】
【０００４】ア−ム格納ケ−ス（１）は、天井に固定し、本体（２）とア−ム（４）で連結され引っ掛け棒（７）で、本体（２）横に取り付けたレバー（６）に掛け、下に引く事でア−ム格納内のア−ム（４）が伸び、本体（２）が所定の位置まで降りると本体（２）を９０度回転させ、蛍光灯（３）の取り換え、掃除が容易に出来、本体（２）を９０度元の位置に戻すと、スプリング（５）の作用で、本体（２）と格納ケ−ス（１）を連結しているア−ム（４）が縮まり、ア−ム格納ケ−ス（１）に納まる機能を持った照明器具である。
【発明の効果】
【０００５】天井に設置された照明器具は、手が届かないので、踏み台を利用して不安定な格好で、蛍光灯の取り換え、掃除は特に女性には危険で、男性の作業であった。しかし手の届く位置まで照明器具が降り、本体が手前に向く事で蛍光灯の取り換え、掃除の際、恐怖心が無くなり女性でも簡単に出来る。
【発明を実施するための最良の形態】
【０００６】以下、本発明の実施の形態について説明する。
（イ）ア−ム格納ケ−ス（１）を天井外面、埋め込みの場合、天井を切り込み、天井下地に取り付ける。
（ロ）本体（２）の横に出ているレバー（６）に専用引っ掛け棒（７）を掛け、下に引くと本体（２）は降りてくる。この際、ア−ム（４）を結んでいる支点のスプリング（５）は広がる。
（ハ）本体（２）が下肢点までくると、本体（２）を９０度回転させる。この時、本体（２）と結んでいるア−ム（４）の間にロックが掛る。
（ニ）本体（２）は下降し、手前に向いているので、踏み台を必要とせずに蛍光灯の取り換え、掃除が容易に行える。
（ホ）作業が終了すると本体（２）を９０度、元の位置に戻すとア−ム（４）とのロックが外れ、本体（２）はスプリング（５）の縮まる作用でア−ム（４）は、ア−ム格納ケ−ス（１）内に納まり、本体（２）は、ア−ム格納ケ−ス（１）に密着し、作業は終了する。
【図面の簡単な説明】
【０００７】
【図１】本体を天井に設置した図
【図２】本体を引き降ろしア−ムが伸びた図
【図３】本体を９０度回転した図
【符号の説明】
【０００８】１、  ア−ム格納ケ−ス
２、  本体
３、  蛍光灯
４、  ア−ム
５、  スプリング
６、  レバ−
７、  引っ掛け棒
【図１】
2009026725.tif 000003
【図２】
2009026725.tif 000004
【図３】
2009026725.tif 000005
【手続補正書】
【提出日】平成19年10月2日(2007.10.2)
【手続補正１】
【補正対象書類名】特許請求の範囲
【補正対象項目名】全文
【補正方法】追加
【補正の内容】
【特許請求の範囲】
【請求項１】
・照明器具の上部のア−ム格納ケ−ス（１）と本体（２）をア−ム（４）で連結する。本体（２）を下に引くとア−ム（４）が伸びて降り、本体（２）を９０度回転する機能を持った照明器具である。
(57)【要約】【課題】構成が簡単で、構成部品数を少なく、かつ安価にする。【解決手段】電磁石７のプランジャ８に、駆動軸１０に回動自在に支持された駆動レバー９の一端を連結するとともに、駆動レバー９の他端にリンク１２の一端を連結し、リンク１２の他端には回動自在に支持された操作軸１３に一端が取り付けられた操作レバー１４の他端を連結し、操作軸１３には回動板５を取り付け、断路部１の可動接触子３と回動板５とを連結部６により連結し、電磁石７の励磁、非励磁により断路部１の投入、断路を行う。【選択図】図１
2009026617.tif 000002
【特許請求の範囲】
【請求項１】
電磁石と、駆動軸を介して回動自在に支持されるとともに、一端が電磁石のプランジャと連結された駆動レバーと、回動自在に支持された操作軸に一端が取り付けられた操作レバーと、駆動レバーの他端と操作レバーの他端との間を連結するリンクと、操作軸に取り付けられた回動板と、断路部の可動接触子と回動板とを連結する連結部とを備え、電磁石の励磁、非励磁により断路部の投入、断路を行うことを特徴とする断路器の操作装置。
【発明の詳細な説明】
【技術分野】
【０００１】
この発明は、受変電設備において主回路中に設置される断路器の操作装置に関するものである。
【背景技術】
【０００２】
従来の断路器の操作装置においては、特許文献１及び特許文献２に示されるように、断路器の投入、断路動作を行わせるために、モータの回転力を使用していた。
【特許文献１】特開昭５９−６６０１５号公報
【特許文献２】特開２００２−２３７２３５号公報
【発明の開示】
【発明が解決しようとする課題】
【０００３】
前記したように、従来の断路器の操作装置においては、モータの回転力を使用していたので、大きなトルクを発生させるために、歯車、モータのブレーキ回路等の多数の構造部品を必要とし、機構が大変複雑になった。又、機構が大変複雑になったために、高価になり、断路器本体より高価になった。
【０００４】
この発明は上記のような課題を解決するために成されたものであり、機構が簡単で構成部品点数が少なく、安価な断路器の操作装置を得ることを目的とする。
【課題を解決するための手段】
【０００５】
この発明の請求項１に係る断路器の操作装置は、電磁石と、駆動軸を介して回動自在に支持されるとともに、一端が電磁石のプランジャと連結された駆動レバーと、回動自在に支持された操作軸に一端が取り付けられた操作レバーと、駆動レバーの他端と操作レバーの他端との間を連結するリンクと、操作軸に取り付けられた回動板と、断路部の可動接触子と回動板とを連結する連結部とを備え、電磁石の励磁、非励磁により断路部の投入、断路を行うものである。
【発明の効果】
【０００６】
以上のようにこの発明の請求項１によれば、電磁石のプランジャに駆動レバー、リンク、操作レバー、操作軸、回動板、連結部等を介して断路部の可動接触子を接続し、電磁石の励磁、非励磁により断路部の投入、断路を行うようにしており、構造が簡単であり、構造部品数が少なく、安価な断路器の操作装置が得られる。
【発明を実施するための最良の形態】
【０００７】
以下、この発明を実施するための最良の形態を図面とともに説明する。図１（ａ）〜（ｃ）はこの発明の実施最良形態による断路器の操作装置の断路時の要部の縦断正面図、要部左側面図及び要部右側面図を示し、図２（ａ），（ｂ）は実施最良形態による断路器の操作装置の操作部本体の投入時及び断路時の拡大縦断側面図、図３（ａ），（ｂ）は実施最良形態による断路器の投入時及び断路時の縦断側面図である。まず、図３において、１は盤２内に設けられた断路器の断路部（断路器本体）、３は断路部１の可動接触子、４は盤２内に設けられた操作部本体、５は操作部本体４に回動自在に支持された回動板、６は回動板５と可動接触子３とを連結する連結部である。５ａは連結部６を連結するためのピンを挿入するための孔であり、円周上に複数設けられる。図３（ａ）は断路部１の投入時を示し、ここで操作部本体４により回動板５を回動すると、連結部６を介して可動接触子３が回動し、図３（ｂ）に示すように断路部１が断路される。
【０００８】
又、図１及び図２において、７は操作部本体４内に設けられた電磁石、８は電磁石７のプランジャ、９は駆動軸１０を介して操作部本体４のケース１１に回動自在に支持された駆動レバーであり、その一端はプランジャ８に回動自在に連結され、駆動レバー９の他端にはリンク１２の一端が連結される。１３はケース１１に回動自在に支持された操作軸であり、操作軸１３には操作レバー１４の一端が取り付けられ、操作レバー１４の他端にはリンク１２の他端が連結され、操作軸１３には回動板５が取り付けられる。なお、１５は断路部１の操作を手動操作する場合に操作軸１３に取り付けられる手動操作用ハンドルである。
【０００９】
次に、動作について説明すると、図３（ａ）の投入時において、電磁石７の励磁を解除すると、図２（ｂ）に示すように図示しない断路ばねによりプランジャ８が上動し、駆動レバー９が回動し、リンク１２が下降し、操作レバー１４も回動し、操作軸１３も回動して、操作軸１３に取り付けられた回動板５が回動し、連結部６を介して可動接触子３も回動し、図３（ｂ）に示すように断路部１が断路される。又、図３（ｂ）の断路位置において電磁石７を励磁すると、プランジャ８が下動し、駆動レバー９が回動し、リンク１２を介して操作レバー１４が回動し、操作軸１３が回動して、回動板５が回動し、連結部６を介して可動接触子３も回動し、断路部１が投入される。
【００１０】
前記した実施最良形態においては、電磁石７のプランジャ８に駆動軸１０に支持された駆動レバー９、リンク１２、回動自在に支持された操作軸１３に一端が取り付けられた操作レバー１４、操作軸１３、回動板５及び連結部６を介して断路部１の可動接触子３を接続しており、断路器の断路部１の操作を電磁操作により行っており、従来のようにモータの回転力による動作トルクを使用せず、電磁操作機構により動作トルクを発生させており、断路器の操作機構を構成が簡単で、構成部品点数を少なく、かつ安価にすることができる。
【図面の簡単な説明】
【００１１】
【図１】この発明の実施最良形態による断路器の操作装置の断路時の要部縦断正面図、要部左側面図及び要部右側面図である。
【図２】実施最良形態による断路器の操作装置の操作部本体の投入時及び断路時の拡大縦断側面図である。
【図３】実施最良形態による断路器の投入時及び断路時の縦断側面図である。
【符号の説明】
【００１２】
１…断路部
３…可動接触子
５…回動板
６…連結部
７…電磁石
８…プランジャ
９…駆動レバー
１０…駆動軸
１２…リンク
１３…操作軸
１４…操作レバー
【図１】
2009026617.tif 000003
【図２】
2009026617.tif 000004
【図３】
2009026617.tif 000005
(57)【要約】【課題】希望するときにだけ希望する条件の宿泊情報を広範囲から簡単に収集できることとする。【解決手段】インターネット上に一般ユーザーからの宿泊希望条件を取得する窓口を設け、この条件に対して、予め登録されたホテル、旅館事業者から、適した宿泊情報を投稿できることとし、投稿された宿泊情報は、宿泊希望条件を投稿したユーザーに即時直接配信されるようにする。また、ユーザーのメールアドレスはどこにも公開されず、ホテル、旅館事業者にも知られずに処理されるシステムとし、迷惑メールの原因となる要因を無くす。【選択図】図１
2009070018.tif 000002
【特許請求の範囲】
【請求項１】
インターネットを利用して一般ユーザーからの宿泊希望条件を匿名で収集しウェブに公開した後、そのリクエストに対して複数の会員事業者が宿泊情報を本システムに投稿すると、宿泊希望条件を投稿したユーザーに即時イーメール配信され比較検討を促すシステムである。
【発明の詳細な説明】
【技術分野】
【０００１】
本発明は、インターネットによる宿泊情報収集システムに関するものである。
【背景技術】
【０００２】
宿泊予約において、ホテル、旅館ではインターネットを使って宿泊情報を提供することが一般的であるが、電話での問合せに比べると情報の即時性に欠け、キャンセルなどによる空室情報の提供や、思い切った値引きの提示も行なえなえなかった。
【０００３】
そのため、近日及び当日の空室を埋める手筈がなく、部屋の稼働率低下になっていた。
【０００４】
一般ユーザーからすれば、希望のサービスを見つけることができず、結局は各ホテル、旅館に個別に問い合わせなければならなかった。
【０００５】
この改善策として、旅行代理店に問い合わせる方法があるが、ホテル、旅館事業者との直接交渉ではないため価格的に有利なサービスも期待できなかった。
【発明の開示】
【発明が解決しようとする課題】
【０００６】
解決しようとする問題点は、希望するときにだけ希望する条件の宿泊情報が簡単に広範囲から集まることである。
【課題を解決するための手段】
【０００７】
本発明は、インターネット上に一般ユーザーからの宿泊希望条件を取得する窓口を設け、投稿された条件に対して、予め登録されたホテル、旅館事業者から、適した宿泊情報を投稿できるようにした。投稿された宿泊情報は、宿泊希望条件を投稿したユーザーに即時直接配信されるようにした。また、ユーザーのメールアドレスはどこにも公開されず、ホテル、旅館事業者にも知られずに処理されるシステムとし、迷惑メールの原因となる要因を無くしている。
【発明の効果】
【０００８】
本発明は、インターネットを利用する為即時性に優れ、当日又は前日対応などでは思い切った価格提示が行なえ、本来空室となる部屋の稼働率を直接的に高めることが期待できる。
【発明を実施するための最良の形態】
【０００９】
インターネットに接続されたパソコン又は携帯電話などにより宿泊希望条件の送信、宿泊情報の投稿及び受信のすべてを行なうことができる。
【実施例】
【００１０】
図１は、本発明の実施例のフローである。
【００１１】
ウェブサーバーは常に稼動しており、一般ユーザーはいつでも宿泊希望条件の投稿ができ、各事業者は希望条件に沿った宿泊情報を即時投稿することができる。
【図面の簡単な説明】
【００１２】
【図１】宿泊情報リクエスト一括マッチングシステムの実施方法を示した説明図である。
【符号の説明】
【００１３】
１    データベース
２    リクエストユーザー入力装置
３    事業者入力装置
【図１】
2009070018.tif 000003
(57)【要約】【課題】    現状の電気自動車等々は積載バッテリーの交換を前提にしていない機種・車種は連続運用・連続業務に難点がある。あくまで積載バッテリーの放電寿命での運用でしかない。またフル充電するには長時間掛かる為、連続運用・連続業務には制約が有る。【解決手段】    バッテリーを電力源・動力源とするユーザーとバッテリーのリース契約を結び、電気自動車等々のバッテリーが放電して運行・業務に支障きたす前に、各地のバッテリースタンドまたはディーラーにてフル充電の互換又は純正バッテリーと交換し、連続運行・連続業務が出来る様に、電気自動車等々の長時間運行・長時間業務を可能にするシステムです。また電気自動車等々のバッテリー交換作業を容易にするのと、併せてバッテリーの履歴管理・リサイクル管理を行います。【選択図】なし【特許請求の範囲】
【請求項１】
バッテリーを電力源・動力源とするユーザーとバッテリーのリース契約を結び、電気自動車等々のバッテリーが運行又は業務中に放電して運行・業務に支障きたす前に各地のバッテリースタンド・営業所または配達にてフル充電の純正バッテリー又は互換バッテリーと交換し、連続運行・連続業務が出来る様にする、そのことで電気自動車等々の長時間運行・長時間業務を可能にするシステムです、または突然の過放電等々のバッテリートラブルには緊急救護作業にて対処します、また電気自動車等々のバッテリーの交換作業を容易にするのと、併せてバッテリーの履歴管理・リサイクル管理を行います。
【発明の詳細な説明】
【技術分野】
【０００１】
本発明は、電気自動車等々の運行・業務をスムーズにし、連続運行・連続業務に支障とならない様、フル充電の互換又は純正バッテリーの交換利用を短時間で進めるシステムである、交換作業は台車等々を利用し簡単交換出来る様にする。
【０００２】
電気自動車等々のバッテリーによる連続運行・連続業務を無限に伸ばす為にバッテリー充電・交換をリース契約する事で各地のバッテリースタンドのフル充電した互換又は純正バッテリーとスムーズに交換出来るシステムを作り、またバッテリーのリサイクル管理も行います。
【０００３】
あらかじめバッテリー交換が予測出来る場合は、予約システムで行き先・道中での事前予約・在庫確認が出来る体制。
【背景技術】
【０００４】
現状の電気自動車等々はバッテリーの交換を前提にしていない型式・車種は、連続運行・連続業務に難点が有る、あくまで積載バッテリーの放電寿命での運行・業務しか出来ない、またフル充電するには長時間掛かる為、連続運行・連続業務には時間の制約が有る。
【発明の開示】
【発明が解決しようとする課題】
【０００５】
バッテリースタンドでのフル充電互換又は純正バッテリーとの交換作業で電気自動車等々の短時間で連続運行・連続業務が出来る事が目的です、
またレシプロ自動車のガソリンスタンドでの給油作業と同じ短時間で出来る事を目的とする。
【課題を解決するための手段】
【０００６】
電気自動車等々のバッテリー種類・電圧・容量・外観サイズ・コネクター規格を車種・機種によって統一する必要がある、
バッテリーの電気自動車等々の車種・機種での収納場所・固定方法等々の標準規格を決める必要が有る。                                                    
【発明の効果】
【０００７】
リース契約を結ぶ事で、バッテリーを自己所有しないのでバッテリーの寿命も延ばせるし、バッテリーの管理・整備・廃棄処理・リサイクルをリース契約したメーカーの責任で出来る利点がある。大量のバッテリーをリサイクルすれば有効利用に、またリメイクにもつながるので資源の有効活用になる。
【０００８】
リース契約者には突然の過放電等々のバッテリートラブルにも緊急救護作業にて対処致します。
【発明を実施するための最良の形態】
【０００９】
バッテリーに管理番号を付けてメーカー一元管理を行い、またメーカーにて整備・充電回数・運用時間等々の履歴管理帳をバッテリーに記録し表示して、契約者に公開し、リサイクル管理にも利用が出来る。
【００１０】
バッテリーの種類・容量・電圧・製造年月表記・外径寸法・コネクター・安全対策の標準規格をバッテリー・車両メーカーで車種により統一規格が出来る事が望ましい。
【００１１】
電気自動車におけるバッテリー収納場所・外径寸法・バッテリーの固定方法・バッテリー給電コネクターサイズを車種により標準規格が出来る事が望ましい。
【００１２】
バッテリーのリース契約は当初電気自動車付属のバッテリーはリース会社との契約により扱いを決める、交換時からはリース会社の所有のフル充電互換又は純正バッテリーと交換する。
(57)【要約】【課題】  現時点で放送されているテレビ、ラジオ番組に対して、リアルタイムに各放送局の番組の人気の度合いを、容易に、そして時間経過と共に人気の上下も知りうるｗｅｂサイトを提供する。【解決手段】  ｗｅｂサイトに、現在放送されているテレビ、ラジオの各放送局の番組名を表示し、その時点で好きな番組、きらいな番組に対して、インターネットメール送信により、人気投票を行い、その結果を集計し、数字（％）表示、グラフ表示を同じｗｅｂサイトへ反映させる。【特許請求の範囲】
【請求項１】
ｗｅｂサイトに、現在放送されているテレビ、ラジオの各放送局の番組名を表示し、その時点で好きな番組を＋１票、きらいな番組を−１票として、インターネットメール送信により票を集め、人気投票の総数に対する各番組ごとの割合を秒単位、又は分単位にてリアルタイムに％表示出来るようにプログラムされたシステム。
【請求項２】
（請求項１）によって得られる数字（％）を縦軸、時間経過を横軸とし、各番組ごとに線を設け、グラフ表示し、時間の経過によって人気が上下する様子を見ることが出来るようにプログラムされたシステム。
【請求項３】
（請求項１）（請求項２）のシステムにおいて、終了時間がきた番組から、その番組の投票数を０にリセットしていくようにプログラムされたシステム。
【発明の詳細な説明】
【技術分野】
【０００１】  本考案は、ｗｅｂサイトにおいて、各放送局の各番組のリアルタイムの人気の度合いを知るために、インターネットメール送信により人気投票を行い、その結果をリアルタイムに数字（％）、グラフ表示するプログラムシステムに関する。
【背景技術】
【０００２】  従来のｗｅｂサイトの番組人気投票は、番組名が羅列されたら、そのままで、数字に動きがなく、同時間の各番組との競争もなく面白みがない。
【発明の開示】
【発明が解決しようとする課題】
【０００３】  今までのｗｅｂサイトの番組人気投票は、番組名が表示さていたら、そのまま放置され、数字に動きがなく、その瞬間の人気もわからず、同時間に放送されている各番組との競争、比較もわからず面白みがないという課題がある。
【課題を解決しようとするための手段】
【０００４】  上記欠点を解決するため、請求項１に記載の考案においては、ｗｅｂサイトに、現在放送されているテレビ、ラジオの各放送局の番組名を表示し、その時点で好きな番組を＋１票、きらいな番組を−１票として、インターネットメール送信により票を集め、人気投票の総数に対する各番組ごとの割合を秒単位、又は分単位にてリアルタイムに％表示出来るようにプログラムされたシステムの構成である。
【０００５】  更に、請求項２に記載の考案においては、（請求項１）によって得られる数字（％）を縦軸、時間経過を横軸とし、各番組ごとに線を設け、グラフ表示し、時間の経過によって人気が上下する様子を見ることが出来るようにプログラムされたシステムの構成である。
【０００６】  更に請求項３に記載の考案においては、（請求項１）（請求項２）のシステムにおいて、終了時間がきた番組から、その番組の投票数を０にリセットしていくようにプログラムされたシステムの構成である。
【考案の効果】
【０００７】  本考案は、放送されている各放送局のテレビ、ラジオ番組の、現時点での人気の度合いを、各放送局ごとに数字（％）表示、グラフ表示され現在どの番組が人気があるか、どのコーナーが人気があるかが、一目瞭然となる。
(57)【要約】【目的】  パーソナルコンピューターの簡素化。組み立てが簡単で、分解がしやすい、パーソナルコンピューター。【構成】  パーソナルコンピューターの主要部品、マザーボード（１１）に、ハードディスクドライブ接続用のコネクタ（１０）を設ける。ハードディスクドライブに付いているコネクタで直接、マザーボード（１１）にハードディスクドライブ（３）を接続する。  マザーボード（１１）に、電源ユニット（１）用の電源用コネクタ（９）を設ける。電源ユニット（１）にマザーボード接続用コネクタ（１２）を設ける。  マザーボード（１１）と電源ユニット（１）を電源用コネクタ（９）とマザーボード接続コネクタ（１２）で接続する。【選択図】図１
2009070353.tif 000002
【特許請求の範囲】
【請求項１】
パーソナルコンピューターの主要部品、マザーボード（１１）に、ハードディスクドライブ接続用のコネクタ（１０）を設け、ハードディスクドライブ（３）に付いているコネクタと接続する（マザーボードに垂直にハードディスクドライブまたは、ソリッドステートドライブ等を接続する）。
マザーボードの端に、電源用コネクタ（９）を設ける。  電源ユニット（１）にマザーボード接続用コネクタを（１２）を設ける。
電源ユニット（１）を、電源用コネクタ（９）とマザーボード接続用コネクタ（１２）でマザーボード（１１）に接続し、取り付ける。
【請求項２】
請求工１で設けたコネクタ（１０）に、ハードディスクドライブ用ガイド（２）をかぶせて取り付ける。
以上のように構成された、電源、ＨＤＤ直結マザーボード。
【発明の詳細な説明】
【産業上の利用分野】
【０００１】  本発明は、パーソナルコンピューターに関する。
【背景技術】
【０００２】  従来のパーソナルコンピューターは、内部の主要部品間を配線で繋いでいた。
【発明が解決しょうとする課題】
【０００３】  パーソナルコンピューターの簡素化、複雑な配線を無くす、組み立て、分解を簡単にする。
【問題を解決するための手段】
【０００４】  パーソナルコンピューターの主要部品、マザーボード（１１）に、ハードディスクドライブ接続用のコネクタ（１０）を設ける。ハードディスクドライブに付いているコネクタで直接、マザーボード（１１）にハードディスクドライブ（３）を接続する。
マザーボード（１１）の上部に、電源ユニット（１）用の電源用コネクタ（９）を設ける。  電源ユニット（１）にマザーボード接続用コネクタ（１２）を設ける。マザーボード（１１）と電源ユニット（１）を電源用コネクタ（９）とマザーボード接続コネクタ（１２）で接続する。ハードディスクドライブ用ガイド（２）は、ハードディスクドライブ（３）を、スムーズにコネクタ（１０）に接続し、ハードディスクドライブ（３）の重量を支える。
【作用】
【０００５】  本発明のパーソナルコンピューターの、ハードディスクドライブ（３）の取り付けは、ハードデイスクドライブ（３）の外側をハードデイスクドライブ用ガイド（２）の内側に差し込んで、ハードディスクドライブ固定アダプタ（４）でパソコンケース（８）に固定する。電源ユニット（１）の取り付けは、マザーボード（１１）に設けた電源用コネクタ（９）と電源ユニット（１）に設けたマザーボード接続用コネクタ（１２）を接続して、電源ユニット（１）をパソコンケース（８）に固定する。ハードディスクドライブ用ガイド（２）は、ハードディスクドライブ（３）を、スムーズにコネクタ（１０）に接続し、ハードディスクドライブ（３）の重量を支える。
【実施例】
【０００６】以下、本発明の実施例について説明する。
パーソナルコンピューターの主要部品、マザーボード（１１）に、ハードディスクドライブ接続用のコネクタ（１０）を設ける。ハードディスクドライブに付いているコネクタ（Ｓｅｒｉａｌ−ＡＴＡ等）で直接、マザーボード（１１）にコネクタ（１０）でハードディスクドライブ（３）または、ＳＳＤ（ソリッドステートドライブ）等を接続する。複数のハードディスクドライブ（３）または、ＳＳＤ等を接続するコネクタ（１０）を設けても良い。
マザーボード（１１）の上部に、電源ユニット（１）用の電源用コネクタ（９）を設ける。  電源ユニット（１）にマザーボード接続用コネクタ（１２）を設ける。マザーボード（１１）と電源ユニット（１）を電源用コネクタ（９）とマザーボード接続コネクタ（１２）で接続する。電源用コネクタ（９）は、マザーボード（１１）の基板に直接、端子回路を作っても良い。ハードディスクドライブ用ガイド（２）は、ハードディスクドライブ（３）を、スムーズにコネクタ（１０）に接続し、ハードディスクドライブ（３）の重量を支える
【発明の効果】
本発明は、以上のような構成でこれを利用したパーソナルコンピューターは、配線が無いのと、組み立てが簡単である。
廃棄処分の時、分解が簡単である。
【図面の簡単な説明】
【図１】  本発明を組み立てたパソコンの斜視図
【図２】  マザーボードの表面図
【図３】  マザーボードに取り付けたハードディスクドライブの部分斜視図
【図４】  マザーボードに取り付けるコネクタとガイドの正面図
【図５】  コネクタ部から見た電源ユニットの平面図
【図６】  電源ユニットの斜視図
【図７】  電源ユニットとマザーボードの接続図
【図８】  ハードディスクドライブ用ガイドの斜視図
【符号の説明】
（１）  電源ユニット
（２）  ハードディスクドライブ用ガイド
（３）  ハードディスクドライブ
（４）  ハードディスクドライブ固定アダプタ
（５）  パソコン冷却用ファン
（６）  ＣＰＵクーラー
（７）  ＰＣＩバススロット
（８）  パソコンケース
（９）  電源用コネクタ
（１０）ハードディスクドライブ用コネクタ
（１１）マザーボード
（１２）マザーボード接続用のコネクタ
【図１】
2009070353.tif 000003
【図２】
2009070353.tif 000004
【図３】
2009070353.tif 000005
【図４】
2009070353.tif 000006
【図５】
2009070353.tif 000007
【図６】
2009070353.tif 000008
【図７】
2009070353.tif 000009
【図８】
2009070353.tif 000010